(57)【要約】【課題】紙パージ処理を実行する際において、特定の給紙トレイから給紙された用紙を、他の給紙トレイから給紙された用紙とは別に扱う。【解決手段】給紙部と、用紙に画像を形成する画像形成部と、複数の異なる排紙トレイに用紙を排出する排出部と、給紙と画像形成と排出とを制御する制御部と、用紙の位置を検知する検知部と、を有し、パージ処理を実行する際に、どの給紙トレイから給紙された用紙をどの排紙トレイに排出するかの対応関係について定められたパージ処理時トレイ対応情報と、滞留用紙についてどの給紙トレイから給紙されたかについての用紙情報とに基づいて、滞留用紙のうちの特定の給紙トレイから給紙された滞留用紙と、滞留用紙のうちの予め定められた特定の給紙トレイ以外の給紙トレイから給紙された滞留用紙とを、分別して排出するよう制御する。【選択図】図１
2014117912.tif 000002
【特許請求の範囲】
【請求項１】
複数の異なる給紙トレイのそれぞれに用紙を収容する給紙部と、
前記給紙部から給紙される用紙に画像を形成する画像形成部と、
複数の異なる排紙トレイに用紙を排出する排出部と、
前記用紙を前記給紙部から前記画像形成部に給紙するように制御し、前記画像形成部により前記用紙に対して画像を形成し、該画像形成部で画像が形成された前記用紙を前記排出部のいずれかのトレイに排出するよう制御する制御部と、を有する画像形成システムであって、
前記制御装置は、
該画像形成システム内に滞留している滞留用紙を集めて前記排出部に排出するパージ処理を実行する際に、
どの給紙トレイから給紙された用紙をどの排紙トレイに排出するかの対応関係について定められたパージ処理時トレイ対応情報と、前記滞留用紙についてどの給紙トレイから給紙されたかについての用紙情報とに基づいて、
前記滞留用紙のうちの特定の給紙トレイから給紙された前記滞留用紙と、前記滞留用紙のうちの予め定められた特定の給紙トレイ以外の給紙トレイから給紙された前記滞留用紙とを、分別して排出するよう前記排出部を制御する、
ことを特徴とする画像形成システム。
【請求項２】
前記特定の給紙トレイは、前記画像形成部より下流に位置する挿入用給紙トレイである、
ことを特徴とする請求項１に記載の画像形成システム。
【請求項３】
前記特定の給紙トレイは、前記パージ処理時トレイ対応情報において予め指定された給紙トレイである、
ことを特徴とする請求項１−２に記載の画像形成システム。
【請求項４】
前記制御部は、前記特定の給紙トレイが複数存在する場合に、複数の特定の給紙トレイから給紙された前記滞留用紙についてもそれぞれ分別して排出するよう前記排出部を制御する、
ことを特徴とする請求項１−３のいずれか一項に記載の画像形成システム。
【請求項５】
前記制御部は、前記特定の給紙トレイ以外の給紙トレイが複数存在する場合に、前記特定の給紙トレイ以外の複数の給紙トレイから給紙された前記滞留用紙についてはまとめて排出するよう前記排出部を制御する、
ことを特徴とする請求項１−４のいずれか一項に記載の画像形成システム。
【請求項６】
前記特定の給紙トレイから給紙された前記滞留用紙について分別して排出するよう前記排出部を制御しても、
前記特定の給紙トレイについての分別した排出に使用されない排紙トレイが複数存在する場合には、
前記制御部は、前記特定の給紙トレイ以外の給紙トレイから給紙された前記滞留用紙について、各用紙についての画像形成の状況に応じて、分別して排出するよう前記排出部を制御する、
ことを特徴とする請求項１−４のいずれか一項に記載の画像形成システム。
【請求項７】
前記制御部の制御に基づいて各種表示を行う表示部を備え、
前記制御部は、前記滞留用紙を分別して排出する際に、どの排紙トレイにどの滞留用紙を排出するかの対応関係を、前記表示部に表示するよう制御する、
ことを特徴とする請求項１−６のいずれか一項に記載の画像形成システム。
【請求項８】
前記制御部の制御に基づいて各種表示を行う表示部を備え、
前記制御部は、前記滞留用紙を排出した後に、どの排紙トレイにどの滞留用紙を排出したかの対応関係を、前記表示部に表示するよう制御する、
ことを特徴とする請求項１−７のいずれか一項に記載の画像形成システム。
【請求項９】
各種の設定を受け付けると共に受け付けた設定を前記制御部に通知する操作部を備え、
前記制御部は、前記操作部を介して、どの排紙トレイにどの滞留用紙を排出するかの対応関係を受け付け可能である、
ことを特徴とする請求項１−８のいずれか一項に記載の画像形成システム。
【請求項１０】
複数の異なる給紙トレイのそれぞれに用紙を収容する給紙部と、前記給紙部から給紙される用紙に画像を形成する画像形成部と、に接続されて画像形成システムとして構成されることが可能な用紙処理装置であって、
複数の異なる排紙トレイに用紙を排出する排出部と、
前記用紙を前記給紙部から前記画像形成部に給紙するように制御し、前記画像形成部により前記用紙に対して画像を形成し、該画像形成部で画像が形成された前記用紙を前記排出部のいずれかのトレイに排出するよう制御する制御部と、を有し、
前記制御装置は、
該画像形成システム内に滞留している滞留用紙を集めて前記排出部に排出するパージ処理を実行する際に、
どの給紙トレイから給紙された用紙をどの排紙トレイに排出するかの対応関係について定められたパージ処理時トレイ対応情報と、前記滞留用紙についてどの給紙トレイから給紙されたかについての用紙情報とに基づいて、
前記滞留用紙のうちの特定の給紙トレイから給紙された前記滞留用紙と、前記滞留用紙のうちの予め定められた特定の給紙トレイ以外の給紙トレイから給紙された前記滞留用紙とを、分別して排出するよう前記排出部を制御する、
ことを特徴とする用紙処理装置。
【請求項１１】
前記特定の給紙トレイは、前記画像形成部より下流であって用紙処理装置内に位置する挿入用給紙トレイである、
ことを特徴とする請求項１０に記載の用紙処理装置。
【請求項１２】
前記特定の給紙トレイは、前記パージ処理時トレイ対応情報において予め指定された給紙トレイである、
ことを特徴とする請求項１０−１１に記載の用紙処理装置。
【請求項１３】
前記制御部は、前記特定の給紙トレイが複数存在する場合に、複数の特定の給紙トレイから給紙された前記滞留用紙についてもそれぞれ分別して排出するよう前記排出部を制御する、
ことを特徴とする請求項１０−１２のいずれか一項に記載の用紙処理装置。
【請求項１４】
前記制御部は、前記特定の給紙トレイ以外の給紙トレイが複数存在する場合に、前記特定の給紙トレイ以外の複数の給紙トレイから給紙された前記滞留用紙についてはまとめて排出するよう前記排出部を制御する、
ことを特徴とする請求項１０−１３のいずれか一項に記載の用紙処理装置。
【請求項１５】
前記特定の給紙トレイから給紙された前記滞留用紙について分別して排出するよう前記排出部を制御しても、前記特定の給紙トレイについての分別した排出に使用されない排紙トレイが複数存在する場合には、
前記制御部は、前記特定の給紙トレイ以外の給紙トレイから給紙された前記滞留用紙について、各用紙についての画像形成の状況に応じて、分別して排出するよう前記排出部を制御する、
ことを特徴とする請求項１０−１３のいずれか一項に記載の用紙処理装置。
【請求項１６】
前記制御部は、前記滞留用紙を分別して排出する際に、どの排紙トレイにどの滞留用紙を排出するかの対応関係を、画像形成システム内のいずれかの位置に設けられた表示部に表示するよう、該表示部に情報を通知する、
ことを特徴とする請求項１０−１５のいずれか一項に記載の用紙処理装置。
【請求項１７】
前記制御部は、前記滞留用紙を排出した後に、どの排紙トレイにどの滞留用紙を排出したかの対応関係を、画像形成システム内のいずれかの位置に設けられた表示部に表示するよう、該表示部に情報を通知する、ことを特徴とする請求項１０−１６のいずれか一項に記載の用紙処理装置。
【請求項１８】
前記制御部は、どの排紙トレイにどの滞留用紙を排出するかの対応関係を、画像形成システム内のいずれかの位置に設けられた操作部から受け付け可能である、
ことを特徴とする請求項１０−１７のいずれか一項に記載の用紙処理装置。
【請求項１９】
複数の異なる給紙トレイのそれぞれに用紙を収容する給紙部と、前記給紙部から給紙される用紙に画像を形成する画像形成部と、複数の異なる排紙トレイに用紙を排出する排出部と、前記用紙を前記給紙部から前記画像形成部に給紙するように制御し、前記画像形成部により前記用紙に対して画像を形成し、該画像形成部で画像が形成された前記用紙を前記排出部のいずれかのトレイに排出するよう制御する制御部と、を有する画像形成システムにおいて用紙処理を制御する用紙処理制御方法であって、
該画像形成システム内に滞留している滞留用紙を集めて前記排出部に排出するパージ処理を実行する際に、
どの給紙トレイから給紙された用紙をどの排紙トレイに排出するかの対応関係について定められたパージ処理時トレイ対応情報と、前記滞留用紙についてどの給紙トレイから給紙されたかについての用紙情報とに基づいて、
前記滞留用紙のうちの予め指定された特定の給紙トレイから給紙された前記滞留用紙と、前記滞留用紙のうちの予め定められた特定の給紙トレイ以外の給紙トレイから給紙された前記滞留用紙とを、分別して排出するよう前記排出部を制御する、
ことを特徴とする用紙処理制御方法。
【請求項２０】
前記特定の給紙トレイが複数存在する場合に、複数の特定の給紙トレイから給紙された前記滞留用紙についてもそれぞれ分別して排出するよう前記排出部を制御する、
ことを特徴とする請求項１９に記載の用紙処理制御方法。
【請求項２１】
前記特定の給紙トレイ以外の給紙トレイが複数存在する場合に、前記特定の給紙トレイ以外の複数の給紙トレイから給紙された前記滞留用紙についてはまとめて排出するよう前記排出部を制御する、
ことを特徴とする請求項１９−２０に記載の用紙処理制御方法。
【請求項２２】
前記特定の給紙トレイから給紙された前記滞留用紙について分別して排出するよう前記排出部を制御しても、前記特定の給紙トレイについての分別した排出に使用されない排紙トレイが複数存在する場合には、
前記特定の給紙トレイ以外の給紙トレイから給紙された前記滞留用紙について、各用紙についての画像形成の状況に応じて、分別して排出するよう前記排出部を制御する、
ことを特徴とする請求項１９−２１のいずれか一項に記載の用紙処理制御方法。
【請求項２３】
前記滞留用紙を分別して排出する際に、どの排紙トレイにどの滞留用紙を排出するかの対応関係を、表示部に表示するよう制御する、
ことを特徴とする請求項１９−２２のいずれか一項に記載の用紙処理制御方法。
【請求項２４】
前記滞留用紙を排出した後に、どの排紙トレイにどの滞留用紙を排出したかの対応関係を、表示部に表示するよう制御する、
ことを特徴とする請求項１９−２３のいずれか一項に記載の用紙処理制御方法。
【請求項２５】
前記滞留用紙を排出する際に、どの排紙トレイにどの滞留用紙を排出するかの対応関係を、前記操作部を介して受け付け可能である、
ことを特徴とする請求項１９−２４のいずれか一項に記載の用紙処理制御方法。
【発明の詳細な説明】
【技術分野】
【０００１】
本発明は、複写機，プリンタ，ファクシミリ装置及びこれらの複合機等の画像形成装置に用紙処理装置が接続された画像形成システムに係り、特に、紙詰まり（用紙ジャム）等によって画像形成システム内に滞留用紙が生じたときに用紙搬送路上に滞留用紙を適切に排出する技術に関する。
【背景技術】
【０００２】
レーザ式等のプリンタや複写機等の画像形成装置には、多様な印刷条件に対応するために複数種類の用紙を収容する給紙トレイが各用紙別に複数設けられている。また、この給紙トレイとして、画像形成部より下流側に、挿入用紙を挿入するための給紙部が設けられている画像形成システムも存在している。また、多様な印刷がなされた用紙を個別に扱うため、画像形成装置に対して用紙処理装置が接続されて画像形成システムが構成されることがある。そして、このように各種の用紙処理装置が接続された場合には、各用紙処理に合わせて複数の排紙トレイが設けられていることがある。
【０００３】
なお、画像形成システム内のいずれかの位置で紙詰まりが発生した場合には、画像形成システムの動作を停止させた後に、パージ処理として、画像形成システム内に滞留している滞留用紙を１箇所の排紙トレイに集めて排出する技術が存在している。
【０００４】
なお、紙詰まり発生時の滞留用紙の取り扱いについては、以下の特許文献１−５に記載がなされている。
【先行技術文献】
【特許文献】
【０００５】
【特許文献１】特開２００７−７６８５０号公報
【特許文献２】特開２００３−２８０３０５号公報
【特許文献３】特開２００３−２８０３０４号公報
【特許文献４】特開平１１−２９２３８９号公報
【特許文献５】特開２０１１−６３３９８号公報
【発明の概要】
【発明が解決しようとする課題】
【０００６】
以上の特許文献１では、
挿入用紙の装置内で用紙詰まりが発生した場合、挿入用紙を反転手段によりインサート装置の機外に排出することが提案されている。但し、特定の用紙、あるいは、特定の給紙トレイからの用紙を、他の用紙とは分別して排出する思想は開示されていない。
【０００７】
また、以上の特許文献２では、挿入用紙による用紙詰まりが発生した場合には、即断することなく、画像形成装置から転写紙をはき出してから、画像形成装置をジャム停止させることが提案されている。なお、画像形成装置内に滞留している用紙を排出する処理については考慮されていない。また、特定の用紙、あるいは、特定の給紙トレイからの用紙を、他の用紙とは分別して排出する思想は開示されていない。
【０００８】
また、以上の特許文献３では、画像形成装置本体で用紙詰まりが発生した場合に、用紙詰まり位置が挿入用紙挿入合流地点よりも上流側であれば、挿入用紙をはき出して画像形成装置の動作を停止させることが提案されている。なお、画像形成装置内に滞留している用紙を排出する処理については考慮されていない。また、特定の用紙、あるいは、特定の給紙トレイからの用紙を、他の用紙とは分別して排出する思想は開示されていない。
【０００９】
また、以上の特許文献４では、画像形成システム内のいずれかの位置で紙詰まりが発生した場合には、パージ処理として、画像形成システム内に滞留している滞留用紙を、選択可能な１箇所の排紙トレイに集めて排出することが提案されている。但し、特定の用紙、あるいは、特定の給紙トレイからの用紙を、他の用紙とは分別して排出する思想は開示されていない。
【００１０】
また、以上の特許文献５では、画像形成システム内のいずれかの位置で紙詰まりが発生した場合には、パージ処理として、画像形成システム内に滞留している滞留用紙を、各用紙の状態（未印字、片面印字、両面印字、等）によって分別して排出することが提案されている。但し、特定の用紙、あるいは、特定の給紙トレイからの用紙を、他の用紙とは分別して排出する思想は開示されていない。
【００１１】
以上の特許文献に記載の技術では、用紙詰まり発生後に用紙搬送を再開して何らかの形で用紙を自動的に排出することが可能になり、これらの排出された用紙は一括して廃棄されることが一般的である。
【００１２】
ところで、最終出力物の要望から、画像形成装置の下流側であって最終的な排出トレイの間から挿入用紙を挿入することが、行われることがある。
【００１３】
この挿入用紙は、塗工紙、光沢紙、カラー用紙、レザック紙など、通常の用紙とは異なって高価な用紙である場合がある。また、この挿入用紙は画像形成装置の定着部の熱を受けていないため、再利用するこが可能である。
【００１４】
しかしながら、以上の特許文献記載の技術では、廃棄すべき用紙に含まれた状態で挿入用紙が排出されてしまうため、その挿入用紙を探し出すには、利用者が探し出す必要がある。
【００１５】
また、挿入用紙が他の廃棄すべき用紙と一括してパージ用に割り当てられたトレイに排出されるため、トナーが転写されたものの未定着の用紙と接触した場合には、挿入用紙が未定着のトナーにより汚損されて、再利用できない状態に陥ってしまう。
【００１６】
本発明はこのような課題に鑑みてなされたものであって、紙詰まりなどのトラブルが生じたときに画像形成装置内に滞留する滞留用紙についてパージ処理を実行する際において、特定の給紙トレイから給紙された用紙を、他の給紙トレイから給紙された用紙とは別に扱うことが可能な、画像形成システム及び用紙処理装置並びに用紙処理制御方法を実現することを目的とする。
【課題を解決するための手段】
【００１７】
（１）上述の課題を解決する一態様は、複数の異なる給紙トレイのそれぞれに用紙を収容する給紙部と、前記給紙部から給紙される用紙に画像を形成する画像形成部と、複数の異なる排紙トレイに用紙を排出する排出部と、前記用紙を前記給紙部から前記画像形成部に給紙するように制御し、前記画像形成部により前記用紙に対して画像を形成し、該画像形成部で画像が形成された前記用紙を前記排出部のいずれかのトレイに排出するよう制御する制御部と、を有する画像形成システム、または、この画像形成システムに用いられる用紙処理装置であって、前記制御装置は、該画像形成システム内に滞留している滞留用紙を集めて前記排出部に排出するパージ処理を実行する際に、どの給紙トレイから給紙された用紙をどの排紙トレイに排出するかの対応関係について定められたパージ処理時トレイ対応情報と、前記滞留用紙についてどの給紙トレイから給紙されたかについての用紙情報とに基づいて、前記滞留用紙のうちの特定の給紙トレイから給紙された前記滞留用紙と、前記滞留用紙のうちの予め定められた特定の給紙トレイ以外の給紙トレイから給紙された前記滞留用紙とを、分別して排出するよう前記排出部を制御する、ことを特徴とする。
【００１８】
（２）以上の（１）において、前記特定の給紙トレイは、前記画像形成部より下流に位置する挿入用給紙トレイである、ことが望ましい。
【００１９】
（３）以上の（１）−（２）において、前記特定の給紙トレイは、前記パージ処理時トレイ対応情報において予め指定された給紙トレイである、ことが望ましい。
【００２０】
（４）以上の（１）−（３）において、前記制御部は、前記特定の給紙トレイが複数存在する場合に、複数の特定の給紙トレイから給紙された前記滞留用紙についてもそれぞれ分別して排出するよう前記排出部を制御する、ことが望ましい。
【００２１】
（５）以上の（１）−（４）において、前記制御部は、前記特定の給紙トレイ以外の給紙トレイが複数存在する場合に、前記特定の給紙トレイ以外の複数の給紙トレイから給紙された前記滞留用紙についてはまとめて排出するよう前記排出部を制御する、ことが望ましい。
【００２２】
（６）以上の（１）−（４）において、前記特定の給紙トレイから給紙された前記滞留用紙について分別して排出するよう前記排出部を制御しても、前記特定の給紙トレイについての分別した排出に使用されない排紙トレイが複数存在する場合には、前記制御部は、前記特定の給紙トレイ以外の給紙トレイから給紙された前記滞留用紙について、各用紙についての画像形成の状況に応じて、分別して排出するよう前記排出部を制御する、ことが望ましい。
【００２３】
（７）以上の（１）−（６）において、前記制御部の制御に基づいて各種表示を行う表示部を備え、前記制御部は、前記滞留用紙を分別して排出する際に、どの排紙トレイにどの滞留用紙を排出するかの対応関係を、前記表示部に表示するよう制御する、ことが望ましい。
【００２４】
（８）以上の（１）−（７）において、前記制御部の制御に基づいて各種表示を行う表示部を備え、前記制御部は、前記滞留用紙を排出した後に、どの排紙トレイにどの滞留用紙を排出したかの対応関係を、前記表示部に表示するよう制御する、ことが望ましい。
【００２５】
（９）以上の（１）−（８）において、各種の設定を受け付けると共に受け付けた設定を前記制御部に通知する操作部を備え、前記制御部は、前記操作部を介して、どの排紙トレイにどの滞留用紙を排出するかの対応関係を受け付け可能である、ことが望ましい。
【発明の効果】
【００２６】
（１）上述の課題を解決する一態様では、画像形成システム内に滞留している滞留用紙を集めて排出部に排出するパージ処理を実行する際に、滞留用紙についてどの給紙トレイから給紙されたかについての用紙情報とに基づいて、滞留用紙のうちの特定の給紙トレイから給紙された滞留用紙と、滞留用紙のうちの予め定められた特定の給紙トレイ以外の給紙トレイから給紙された滞留用紙とを、分別して排出するよう排出部を制御するため、パージ処理された状態において、特定の給紙トレイから給紙された用紙を、他の給紙トレイから給紙された用紙とは別に扱うことが可能になる。
【００２７】
（２）以上の（１）において、画像形成部より下流に位置する挿入用給紙トレイを特定の給紙トレイとすることで、パージ処理された状態において、定着による熱の影響を受けていない用紙を、他の給紙トレイから給紙された用紙とは別に扱うことが可能になる。
【００２８】
（３）以上の（１）−（２）において、予め指定された給紙トレイを特定の給紙トレイとすることで、パージ処理された状態において、指定された給紙トレイからの用紙を、他の給紙トレイから給紙された用紙とは別に扱うことが可能になる。
【００２９】
（４）以上の（１）−（３）において、特定の給紙トレイが複数存在する場合に、複数の特定の給紙トレイから給紙された滞留用紙についてもそれぞれ分別して排出することで、パージ処理された状態において、複数の特定の給紙トレイから給紙された用紙を、他の給紙トレイから給紙された用紙とは別に、かつ、それぞれ個別に扱うことが可能になる。
【００３０】
（５）以上の（１）−（４）において、特定の給紙トレイ以外の給紙トレイが複数存在する場合に、特定の給紙トレイ以外の複数の給紙トレイから給紙された滞留用紙についてはまとめて排出することで、パージ処理された状態において、複数の特定の給紙トレイから給紙された用紙を、他の給紙トレイから給紙された用紙とは別に扱うと共に、他の給紙トレイから給紙された用紙は一括して扱うことが可能になる。
【００３１】
（６）以上の（１）−（４）において、特定の給紙トレイから給紙された滞留用紙について分別して排出するよう排出部を制御しても、特定の給紙トレイについての分別した排出に使用されない排紙トレイが複数存在する場合には、特定の給紙トレイ以外の給紙トレイから給紙された滞留用紙について、各用紙についての画像形成の状況に応じて、分別して排出することで、パージ処理された状態において、複数の特定の給紙トレイから給紙された用紙を、他の給紙トレイから給紙された用紙とは別に扱うと共に、他の給紙トレイから給紙された用紙についても画像形成状況に応じて分別して扱うことが可能になる。
【００３２】
（７）以上の（１）−（６）において、滞留用紙を分別して排出する際に、どの排紙トレイにどの滞留用紙を排出するかの対応関係を、表示部に表示するよう制御することで、パージ処理中において、複数の特定の給紙トレイから給紙された用紙を、他の給紙トレイから給紙された用紙とは別に扱うと共に、滞留用紙がどの排紙トレイに排出されるかが明確になる。
【００３３】
（８）以上の（１）−（７）において、滞留用紙を排出した後に、どの排紙トレイにどの滞留用紙を排出したかの対応関係を、表示部に表示するよう制御することで、パージ処理された状態において、複数の特定の給紙トレイから給紙された用紙を、他の給紙トレイから給紙された用紙とは別に扱うと共に、滞留用紙がどの排紙トレイに排出されるかが明確になる。
【００３４】
（９）以上の（１）−（８）において、操作部を介して、どの排紙トレイにどの滞留用紙を排出するかの対応関係を受け付け可能とすることで、滞留用紙の排出の対応に利用者の意図を反映させることが可能になる。
【図面の簡単な説明】
【００３５】
【図１】本発明の実施形態の画像形成システムの構成を示すブロック図である。
【図２】本発明の実施形態の画像形成システムの構成を示す構成図である。
【図３】本発明の実施形態の画像形成システムの構成と動作状態を示す構成図である。
【図４】本発明の実施形態の画像形成の動作を示すフローチャートである。
【図５】本発明の実施形態の画像形成の動作を示すフローチャートである。
【図６】本発明の実施形態の画像形成の動作を示すフローチャートである。
【図７】本発明の実施形態の画像形成システムの画面表示を示す説明図である。
【図８】本発明の実施形態の画像形成システムでのデータの内容を示す説明図である。
【図９】本発明の実施形態の画像形成システムの動作状態を示すシーケンス図である。
【図１０】本発明の実施形態の画像形成システムでのデータの内容を示す説明図である。
【図１１】本発明の実施形態の画像形成システムの構成と動作状態を示す構成図である。
【図１２】本発明の実施形態の画像形成システムの動作状態を示すシーケンス図である。
【図１３】本発明の実施形態の画像形成システムの構成と動作状態を示す構成図である。
【図１４】本発明の実施形態の画像形成システムの画面表示を示す説明図である。
【発明を実施するための形態】
【００３６】
以下、図面を参照して本発明を実施するための形態（以下、実施形態）を詳細に説明する。
【００３７】
〔全体構成〕
図１〜図３を参照して、本実施の形態に係る画像形成装置と用紙処理装置とを備える画像形成システムの構成について説明する。
【００３８】
図１〜図３に示すように、この画像形成システムは、画像形成装置１００と、画像形成装置１００の後段にて挿入用紙を挿入するＰＩ−ＰＦＵ（Paper Insert-Paper Feed Unit）としての挿入用紙挿入装置２００と、挿入用紙挿入機能と用紙処理機能とを備える用紙処理装置３００と、用紙処理機能を備える用紙処理装置４００と、用紙処理機能を備える用紙処理装置５００と、を有している。
【００３９】
なお、この画像形成システムにおける各装置の接続は一例であって、この接続状態に限定されるものではない。
【００４０】
画像形成装置１００は、画像形成装置１００内の各部を制御すると共に用紙処理装置としてシステム全体を制御する制御部１０１と、接続されている他の装置と通信するための通信部１０２と、操作者による操作入力に応じた操作入力信号を制御部１０１に通知すると共に画像形成装置１００の状態表示とを行う操作表示部１０３と、制御プログラム及び各種設定データを記憶すると共に制御プログラムのワークエリアとして使用される記憶部１０４と、収容されている用紙を給紙する給紙部１０５と、給紙され画像形成される用紙を所定速度で搬送する搬送部１０７と、原稿をスキャンして画像データを生成する原稿読込部１２０と、画像形成する際のイメージデータや各種データを記憶する画像データ記憶部１３０と、画像形成に必要な各種画像処理を実行する画像処理部１４０と、画像形成命令と画像処理後のイメージデータとに基づいて印刷（以下、「画像形成」と言う）を実行する画像形成部１５０と、を備えて構成されている。なお、画像形成装置１００で画像形成された用紙は、後段の挿入用紙挿入装置２００に向けて搬出される。
【００４１】
挿入用紙挿入装置２００は、画像形成装置１００の後段に接続されており、挿入用紙挿入装置２００内の各部を制御する制御部２０１と、画像形成装置１００と通信するための通信部２０２と、制御プログラム及び各種設定データを記憶すると共に制御プログラムのワークエリアとして使用される記憶部２０４と、挿入用紙を挿入する挿入経路を選択する挿入経路選択部２０５と、用紙を所定速度で搬送する搬送部２１０と、挿入用紙挿入装置２００内の各所に配置されたセンサにより用紙詰まり（ジャム）を検知するジャム検知部２１５と、収容された挿入用紙を用紙搬送経路に挿入する用紙挿入部２２０と、を備えて構成される。
【００４２】
なお、挿入用紙挿入装置２００内を搬送された用紙は、後段の用紙処理装置３００に向けて搬出される。
【００４３】
用紙処理装置３００は、画像形成装置１００の後段に接続されており、用紙処理装置３００内の各部を制御する制御部３０１と、画像形成装置１００と通信するための通信部３０２と、制御プログラム及び各種設定データを記憶すると共に制御プログラムのワークエリアとして使用される記憶部３０４と、挿入用紙を挿入する挿入経路を選択する挿入経路選択部３０５と、後処理された用紙束を排出させる排出経路を選択する排出経路選択部３０６と、用紙を所定速度で搬送する搬送部３１０と、用紙処理装置３００内の各所に配置されたセンサにより用紙詰まり（ジャム）を検知するジャム検知部３１５と、ＰＩ（Paper Inserter）部に収容された挿入用紙を用紙搬送経路に挿入する用紙挿入部３２０と、用紙に綴じ穴を開けるパンチ部３３０と、用紙を中折り又は３つ折りに折る折り部３４０と、サブトレイを排出先として用紙を排出するサブトレイ排出部３９０Ｓと、を備えて構成される。なお、用紙処理装置３００内を搬送された用紙は、後段の用紙処理装置４００に向けて搬出される。
【００４４】
用紙処理装置４００は、用紙処理装置３００の後段に接続されており、用紙処理装置４００内の各部を制御する制御部４０１と、画像形成装置１００や用紙処理装置３００等と通信するための通信部４０２と、制御プログラム及び各種設定データを記憶すると共に制御プログラムのワークエリアとして使用される記憶部４０４と、後処理された用紙束を排出させる排出経路を選択する排出経路選択部４０６と、用紙を所定速度で搬送する搬送部４１０と、用紙処理装置４００内の各所に配置されたセンサにより用紙詰まり（ジャム）を検知するジャム検知部４１５と、用紙を中折り又は３つ折りに折る折り部４４０と、折られた複数枚の用紙を整合する整合部４５０と、折られて整合された用紙束を綴じる中綴じ部４６０と、中綴じされた用紙束の小口部分を断裁する断裁部４８０と、サブトレイを排出先として用紙を排出するサブトレイ排出部４９０Ｓと、を備えて構成される。なお、用紙処理装置４００内を搬送された用紙は、後段の用紙処理装置５００に向けて搬出される。
【００４５】
用紙処理装置５００は、用紙処理装置４００の後段に接続されており、用紙処理装置５００内の各部を制御する制御部５０１と、画像形成装置１００や用紙処理装置４００等と通信するための通信部５０２と、制御プログラム及び各種設定データを記憶すると共に制御プログラムのワークエリアとして使用される記憶部５０４と、後処理された用紙束を排出させる排出経路を選択する排出経路選択部５０６と、用紙を所定速度で搬送する搬送部５１０と、用紙処理装置５００内の各所に配置されたセンサにより用紙詰まり（ジャム）を検知するジャム検知部５１５と、複数枚の用紙を整合する整合部５５０と、整合された用紙束を綴じる平綴じ部５６０と、サブトレイを排出先として用紙を排出するサブトレイ排出部４９０Ｓと、メイントレイを排出先として用紙や冊子を排出するメイントレイ排出部５９０Ｍと、を備えて構成される。
【００４６】
なお、以上の用紙処理装置３００〜５００内の各用紙処理機能や各構成要素は一例であって、これらに限定されるものではない。
【００４７】
なお、図３では、画像形成システムにおいて用紙が搬送されている様子の一例を示している。ここでは、用紙ｐ１〜ｐ３が給紙部１０５から給紙され、挿入用紙ｐ４が用紙挿入部３２０から給紙され、用紙ｐ５〜ｐ７が給紙部１０５から給紙され、挿入用紙ｐ８が用紙挿入部２２０から給紙され、用紙ｐ９〜ｐ１１が給紙部１０５から給紙された様子を示している。
【００４８】
なお、挿入用紙ｐ４やｐ８は、塗工紙、光沢紙、カラー用紙、レザック紙など、通常の用紙とは異なって高価な用紙である場合がある。また、この挿入用紙は画像形成装置１００の定着部の熱を受けていないため、再利用するこが可能である。
【００４９】
〔実施形態の動作〕
以下、本実施形態の画像形成システム及び用紙処理装置並びに用紙処理制御方法について、図４以降のフローチャートやシーケンス図を参照して動作手順に従って説明する。
【００５０】
画像形成装置側の制御：
図４は本実施形態の画像形成装置側の基本的な動作を示すフローチャートであり、図５は本実施形態の用紙処理装置側の基本的な動作を示すフローチャートである。以下、図４と図５とを対比させつつ動作を説明する。
【００５１】
まず、制御部１０１はパージ処理時トレイ対応情報を設定する（図４中のステップＳ１００）。ここで、パージ処理時トレイ対応情報とは、どの給紙トレイから給紙された用紙をどの排紙トレイに排出するかの対応関係について定められた情報を意味する。
【００５２】
制御部１０１は、図７に示す操作表示画面１０３Ｇを操作表示部１０３に表示し、パージ処理実行時において、どの給紙トレイから給紙された用紙を、どの排紙トレイに排出するかについて、操作者からの設定を受け付ける。
【００５３】
なお、制御部１０１は、操作表示部１０３に限られず、各種操作を受け付ける操作部から、パージ処理実行時において、どの給紙トレイから給紙された用紙を、どの排紙トレイに排出するかについて、操作者からの設定を受け付けることが可能である。
【００５４】
ここでは、操作表示画面１０３Ｇ内のトレイ対応設定画面１０３Ｇａ１において、給紙トレイ側では、本体（画像形成装置１００）給紙トレイ１〜３、ＰＩ−ＰＦＵ（挿入用紙挿入装置２００）給紙トレイ１〜２、ＦＮＳ１（用紙処理装置３００）ＰＩ給紙トレイ１〜２、が表示され、排紙トレイ側では、ＦＮＳ３（用紙処理装置５００）トレイ２（サブトレイ）、ＦＮＳ１（用紙処理装置３００）トレイ１（サブトレイ）、ＦＮＳ２（用紙処理装置３００）トレイ１（サブトレイ）、が表示されている。
【００５５】
操作表示画面１０３Ｇ内のトレイ対応設定画面１０３Ｇａ１での設定を完了し、操作者がＯＫボタン１０３Ｇｂ１を押下すると、制御部１０１はパージ処理時トレイ対応情報として、給紙トレイ毎の排出トレイ情報（図８参照）を記憶部１０４等に記憶する（図４中のステップＳ１０２）。
【００５６】
ここで、制御部１０１は、パージ処理時トレイ対応情報（給紙トレイ毎の排出トレイ情報（図８参照））を、後段の挿入用紙挿入装置２００、用紙処理装置３００〜５００に送信する（図４中のステップＳ１０３）。
【００５７】
一方、後段の挿入用紙挿入装置２００、用紙処理装置３００〜５００側では、画像形成装置１００からのパージ処理時トレイ対応情報が送られてくるのを待機しており（図５中のステップＳ２０１）、画像形成装置１００からパージ処理時トレイ対応情報が送られてくると（図５中のステップＳ２０１でＹＥＳ）、制御部２０１〜５０１は、それぞれ、パージ処理時トレイ対応情報を記憶部２０４〜５０４に記憶する（図５中のステップＳ２０２）。この状態をシーケンス図としての図９のフェーズａに示す。
【００５８】
そして、操作表示部１０３のスタートボタンの押下や外部ＰＣからの指示などで画像形成に関するジョブ開始の指示があると（図４中のステップＳ１０４でＹＥＳ）、制御部１０１は、ジョブ開始を宣言するジョブ開始情報を後段の挿入用紙挿入装置２００、用紙処理装置３００〜５００に送信する（図４中のステップＳ１０５）。この状態をシーケンス図としての図９のフェーズｂに示す。
【００５９】
挿入用紙挿入装置２００、用紙処理装置３００〜５００側では、画像形成装置１００からのジョブ開始情報が送られてくるのを待機しており（図５中のステップＳ２０３）、画像形成装置１００からジョブ開始情報が送られてくると（図５中のステップＳ２０３でＹＥＳ）、制御部２０１〜５０１は、それぞれ、用紙受け入れ準備として、各部を初期化する所定のイニシャル動作を実行する（図５中のステップＳ２０４）。
【００６０】
ここで、制御部１０１は、実行するジョブについてのジョブ情報を参照し、画像形成順にどの給紙トレイからの用紙を給紙あるいは挿入するかを判断する（図４中のステップＳ１０６〜Ｓ１０７）。画像形成装置１００内の給紙部１０５からの用紙を給紙するのであれば（図４中のステップＳ１０６でＮＯ、Ｓ１０７でＮＯ）、制御部１０１は、給紙部１０５に給紙の指示を与える（図４中のステップＳ１０８）。挿入用紙挿入装置２００の用紙挿入部２２０からの用紙を挿入するのであれば（図４中のステップＳ１０６でＮＯ、Ｓ１０７でＹＥＳ）、制御部１０１は、制御部２０１経由で用紙挿入部２２０に給紙の指示を与える（図４中のステップＳ１０９）。用紙処理装置３００の用紙挿入部３２０からの用紙を挿入するのであれば（図４中のステップＳ１０６でＹＥＳ）、制御部１０１は、制御部３０１経由で用紙挿入部３２０に給紙の指示を与える（図４中のステップＳ１１０）。
【００６１】
また、制御部１０１は、画像形成システムで給紙や挿入が可能な用紙について予め作成された用紙情報を参照し、給紙あるいは挿入する用紙の用紙情報（図１０参照）を、後段の挿入用紙挿入装置２００、用紙処理装置３００〜５００に送信する（図４中のステップＳ１１１）。
【００６２】
この用紙情報には、用紙ＩＤ番号、用紙サイズ情報、通常動作における排出先情報、実行すべき用紙処理モード情報、どの給紙トレイからの用紙であるかの給紙トレイ情報、などが含まれている。
【００６３】
一方、後段の挿入用紙挿入装置２００、用紙処理装置３００〜５００側では、画像形成装置１００から用紙情報が送られてくるのを待機しており（図５中のステップＳ２０５）、画像形成装置１００から用紙情報が送られてくると（図５中のステップＳ２０５でＹＥＳ）、制御部２０１〜５０１は、それぞれ用紙情報を記憶部２０４〜５０４に記憶する（図５中のステップＳ２０６）。この状態をシーケンス図としての図９のフェーズｃに示す。ここでは、用紙ＩＤ＝１〜用紙ＩＤ＝１１の全１１枚の用紙情報が送信された様子を示している。
【００６４】
なお、用紙詰まり（ジャム）の発生が検出されない限り（図４中のステップＳ１１２でＮＯ）、ジョブとして画像形成すべき全ての用紙について、用紙給紙及び画像形成、用紙挿入を繰り返す（図４中のステップＳ１１３）。
【００６５】
ここで、後段の挿入用紙挿入装置２００、用紙処理装置３００〜５００側では、画像形成装置１００や前段の装置から用紙の排出があれば（図５中のステップＳ２０７）、用紙を受け取り、用紙情報において指定される用紙処理を実行する（図５中のステップＳ２０８）。なお、この用紙処理については、一般的なものであるため、詳細な説明は省略する。
【００６６】
また、用紙処理装置３００〜５００側では、用紙処理情報を参照し、排出先が自装置内か後段装置かを判断する（図５中のステップＳ２０９）。ここで、用紙処理装置３００〜５００側は、排出先が自装置内であれば（図５中のステップＳ２０９でＹＥＳ）、自装置内の排紙トレイに用紙を排出する（図５中のステップＳ２１０）。一方、用紙処理装置３００〜５００側は、排出先が後段装置であれば（図５中のステップＳ２０９でＮＯ）、用紙を後段の装置に対して搬送する（図５中のステップＳ２１１）。
【００６７】
そして、用紙詰まり（ジャム）の発生が検出されない限り（図５中のステップＳ２１２でＮＯ）、用紙処理装置３００〜５００側では、画像形成装置１００からジョブ完了通知が送られてくるまで、ジョブとして画像形成すべき全ての用紙について、上述した用紙処理（図５中のステップＳ２０８）と排出（図５中のステップＳ２１０、Ｓ２１１）を繰り返す（図５中のステップＳ２１３）。
【００６８】
なお、図９のシーケンス図は情報の送受信を主に示しており、用紙の搬送や用紙処理は、用紙情報の送受信に遅れて実行されることになる。
【００６９】
ここで、図９のフェーズｃの用紙情報に対応して、図３に示すように１１枚の用紙が搬送されていると仮定する。この状態で先頭となる用紙ｐ１（ＩＤ＝１）が用紙処理装置５００内で用紙詰まりを起こして、ジャム検知部５１５によりジャムとして検知される（図９のフェーズｄ、図１１のｐ１）。
【００７０】
この場合、ジャム検知部５１５の検知結果を受けた制御部５０１は、ジャム情報として用紙ＩＤ＝１と発生箇所の情報を、前段の用紙処理装置４００、用紙処理装置３００、挿入用紙挿入装置２００、画像形成装置１００に向けて通知する（図９のフェーズｅ）。
【００７１】
このジャム情報を受信した制御部１０１は、後段の挿入用紙挿入装置２００、用紙処理装置３００〜５００に対して、処理や搬送を停止させる停止指示を送信する（図４中のステップＳ１１４、図９のフェーズｆ、ｇ）。
【００７２】
一方、後段の挿入用紙挿入装置２００、用紙処理装置３００〜５００側では、画像形成装置１００からジャム停止指示が送られてくるのを定期的にチェックしており（図５中のステップＳ２１２、Ｓ２１４）、画像形成装置１００から停止指示が送られてくると（図５中のステップＳ２１４でＹＥＳ）、制御部２０１〜５０１は、それぞれ搬送中の用紙を速やかに停止させる（図５中のステップＳ２１５）。なお、挿入用紙挿入装置２００、用紙処理装置３００〜５００側では、前後の用紙と衝突しない範囲で、実行中の処理を完了させてから用紙を停止させても良い。
【００７３】
また、制御部１０１は、ジャム発生時において、停止指示を送信した後に、後段の挿入用紙挿入装置２００、用紙処理装置３００〜５００に対して、パージ処理実行指示を送信する（図４中のステップＳ１１５、図９のフェーズｈ）。
【００７４】
一方、後段の挿入用紙挿入装置２００、用紙処理装置３００〜５００側では、画像形成装置１００からパージ実行指示が送られてくると（図５中のステップＳ２１６でＹＥＳ）、制御部２０１〜５０１は、パージ処理時トレイ対応情報に基づいて、各装置内でパージ処理を実行する（図５中のステップＳ２１７）。
【００７５】
以下、各装置内でパージ処理（図５中のステップＳ２１７）のサブルーチンについて、図６のフローチャート、図１２のシーケンス図を参照して説明する。
【００７６】
挿入用紙挿入装置２００、用紙処理装置３００〜５００の各制御部２０１〜５０１は、ジャム発生時の停止指示に基づいて滞留している用紙（滞留用紙）が自装置内に存在しているかを、図示されない各部のセンサの検知結果により判断する（図６中のステップＳ３０１）。
【００７７】
滞留用紙が存在している場合（図６中のステップＳ３０１でＹＥＳ）、その滞留用紙が自装置の排紙トレイに排出すべきかを、記憶部２０４〜５０４で記憶している用紙情報とパージ処理時トレイ対応情報とに基づいて、制御部２０１〜５０１がそれぞれ判断する（図６中のステップＳ３０２）。
なお、詳細に説明すると、各制御部２０１〜５０１は、滞留紙について、用紙情報（図１０）から給紙トレイを識別し、識別された給紙トレイに対する排紙トレイの対応を、パージ処理時トレイ対応情報（図８）から割り出す。
【００７８】
存在している滞留用紙が自装置の排紙トレイに排出すべきでない場合（図６中のステップＳ３０２でＮＯ）、制御部２０１〜４０１は、滞留用紙を後段の用紙処理装置に向けて搬送するよう搬送部２１０〜４１０を制御する（図６中のステップＳ３０５）。
【００７９】
一方、存在している滞留用紙が自装置の排紙トレイに排出すべきである場合（図６中のステップＳ３０２でＹＥＳ）、制御部３０１〜５０１は、パージ処理時トレイ対応情報に基づいて、滞留用紙を自装置内の排紙トレイに排出するように、排出経路選択部３０６〜５０６や、サブトレイ排出部３９０Ｓ〜５９０Ｓ等を制御する（図６中のステップＳ３０３）。そして、自装置内で滞留紙を排出した制御部３０１〜５０１は、排出結果（排出の成否）を制御部１０１に通知する（図６中のステップＳ３０４）。
【００８０】
ここで、各制御部２０１〜５０１は、パージ処理終了通知を制御部１０１から受信しているかを確認し（図６中のステップＳ３０６）、制御部１０１からパージ処理終了通知を受信している場合には（図６中のステップＳ３０６でＹＥＳ）、このパージ処理についてのサブルーチンを終了する（図６中のエンド）。
【００８１】
一方、各制御部２０１〜５０１は、制御部１０１からパージ処理終了通知を受信していない場合には（図６中のステップＳ３０６でＮＯ）、自装置より前段からの用紙が搬送されてくるかを待機・確認する（図６中のステップＳ３０７）。なお、この前段からの用紙搬送の待機・確認は、制御部１０１からパージ処理終了通知があるまで続行する。
【００８２】
自装置より前段からの用紙が搬送されてきた場合（図６中のステップＳ３０７でＹＥＳ）、各制御部２０１〜５０１は、該用紙を受け取って自装置内で搬送し（図６中のステップＳ３０８）、その用紙が自装置の排紙トレイに排出すべきかを、記憶部２０４〜５０４で記憶している用紙情報とパージ処理時トレイ対応情報とに基づいて、それぞれ判断する（図６中のステップＳ３０９）。ここで、各制御部２０１〜５０１は、前段から搬送されてきた用紙について、用紙情報（図１０）から給紙トレイを識別し、識別された給紙トレイに対する排紙トレイの対応を、パージ処理時トレイ対応情報（図８）から割り出す。
【００８３】
搬送されてきた用紙が自装置の排紙トレイに排出すべきでない場合（図６中のステップＳ３０９でＮＯ）、制御部２０１〜４０１は、滞留用紙を後段の用紙処理装置に向けて搬送するよう搬送部２１０〜４１０を制御する（図６中のステップＳ３１２）。
【００８４】
一方、搬送されてきた用紙が自装置の排紙トレイに排出すべきである場合（図６中のステップＳ３０９でＹＥＳ）、制御部３０１〜５０１は、パージ処理時トレイ対応情報に基づいて、滞留用紙を自装置内の排紙トレイに排出するように、排出経路選択部３０６〜５０６や、サブトレイ排出部３９０Ｓ〜５９０Ｓ等を制御する（図６中のステップＳ３１０）。そして、搬送されてきた用紙を自装置内で排出した制御部３０１〜５０１は、排出結果（排出の成否）を制御部１０１に通知する（図６中のステップＳ３１１）。
【００８５】
そして、各制御部２０１〜５０１は、制御部１０１からパージ処理終了通知を受信するまで以上の処理を繰り返し、制御部１０１からパージ処理終了通知を受信した時点で（図６中のステップＳ３０６でＹＥＳ）、このパージ処理についてのサブルーチンを終了する（図６中のエンド）。
【００８６】
図１２のシーケンス図では、図９のシーケンス図のフェーズｈ以降について説明している。この図１２のシーケンス図では、用紙ＩＤ＝２，３の用紙は、画像形成装置１００で給紙された用紙で、用紙処理装置４００で滞留用紙となっており、パージ処理時トレイ対応情報に基づいて、用紙処理装置５００の排紙トレイに排出される（図１２のフェーズｉ，ｊ）。
【００８７】
用紙ＩＤ＝４の用紙は、用紙挿入部３２０からの挿入用紙であり、用紙処理装置４００で滞留用紙となっており、パージ処理時トレイ対応情報に基づいて、他の用紙とは別に用紙処理装置４００の排紙トレイに排出される（図１２のフェーズｋ）。
【００８８】
用紙ＩＤ＝５，６，７の用紙は、画像形成装置１００で給紙された用紙で、用紙処理装置３００で滞留用紙となっており、パージ処理時トレイ対応情報に基づいて、用紙処理装置５００の排紙トレイに排出される（図１２のフェーズｌ，ｍ，ｎ）。
【００８９】
用紙ＩＤ＝８の用紙は、用紙挿入部２２０からの挿入用紙であり、挿入用紙挿入装置２００で滞留用紙となっており、パージ処理時トレイ対応情報に基づいて、他の用紙とは別に用紙処理装置３００の排紙トレイに排出される（図１２のフェーズｏ）。
【００９０】
用紙ＩＤ＝９，１０，１１の用紙は、画像形成装置１００で給紙された用紙で、画像形成装置１００で滞留用紙となっており、パージ処理時トレイ対応情報に基づいて、用紙処理装置５００の排紙トレイに排出される（図１２のフェーズｐ，ｑ，ｒ）。
【００９１】
以上のようにして、滞留用紙が排出された様子については、図１３のようになる。
【００９２】
そして、制御部１０１は、後段の挿入用紙挿入装置２００、用紙処理装置３００〜５００の各制御部２０１〜５０１からパージ処理結果の送信（図６中のステップＳ３０４，Ｓ３１１）を受信し、以上のように後段の挿入用紙挿入装置２００、用紙処理装置３００〜５００で実行されたパージ処理の結果について、操作表示部１０３に表示する（図４中のステップＳ１１６）。
【００９３】
そして、制御部１０１は、後段の挿入用紙挿入装置２００、用紙処理装置３００〜５００の各制御部２０１〜５０１からパージ処理結果の送信（図６中のステップＳ３０４，Ｓ３１１）を受信し、以上のように後段の挿入用紙挿入装置２００、用紙処理装置３００〜５００で実行されたパージ処理の結果について、図１４のように操作表示部１０３に表示する（図４中のステップＳ１１６）。
【００９４】
この図１４では、操作表示部１０３における操作表示画面１０３Ｇに、パージ処理結果画面１０３Ｇａ２として、画像形成システムの外観と共に、どの排紙トレイに、給紙トレイからの用紙や挿入用紙が排出されたかが、表示される。なお、ここでは、グラフィカルな表示であるが、一覧表形式の表示であっても良い。また、図１４では、パージ処理により排出された用紙だけでなく、紙詰まりにより残留しているジャム用紙の位置についても合わせて表示されている。
【００９５】
なお、パージ処理が、パージ処理時トレイ対応情報に準拠して正しく実行された場合も、パージ処理時トレイ対応情報に対応することができずに実行された場合も、後段の挿入用紙挿入装置２００、用紙処理装置３００〜５００からのパージ処理結果情報を参照して、その結果を図１４のように一覧表示して操作者に伝達することが望ましい。
【００９６】
ここで、パージ処理時トレイ対応情報に対応することができずに実行された場合とは、滞留用紙が排出先として指定された排紙トレイの位置を過ぎた位置に滞留していた場合などであって、例外処理として、その滞留位置より下流側のいずれかの排紙トレイに排出された場合を意味している。
【００９７】
また、制御部１０１は、全ての滞留用紙についての処理が終了したと判断できた時点で、パージ処理終了を各制御部２０１〜５０１に送信する（図４中のステップＳ１１６）。これを受けた後段の挿入用紙挿入装置２００、用紙処理装置３００〜５００の各制御部２０１〜５０１は、パージ処理を終了する（図１２のフェーズｓ）
以上の実施形態により、画像形成システム内のいずれかの位置で紙詰まりが発生した時点で、画像形成システム内に滞留している滞留用紙を集めて排紙トレイに排出するパージ処理を実行する際に、パージ処理時トレイ対応情報と、滞留用紙についてどの給紙トレイから給紙されたかについての用紙情報とに基づいて、滞留用紙のうちの特定の給紙トレイ（例えば、用紙挿入部２２０や用紙挿入部３２０）から給紙された滞留用紙と、滞留用紙のうちの予め定められた特定の給紙トレイ以外の給紙トレイ（例えば、給紙部１０５等）から給紙された滞留用紙とを、分別して排出するよう排出部を制御するため、パージ処理された状態において、特定の給紙トレイから給紙された用紙を、他の給紙トレイから給紙された用紙とは別に扱うことが可能になる。
【００９８】
また、画像形成装置１００より下流に位置する挿入用給紙トレイ（例えば、用紙挿入部２２０や用紙挿入部３２０）を特定の給紙トレイとすることで、パージ処理された状態において、定着による熱の影響を受けていない用紙を、他の給紙トレイから給紙された用紙とは別に扱うことが可能になる。
【００９９】
また、挿入用紙などに関して、予め指定された給紙トレイを特定の給紙トレイとすることで、パージ処理された状態において、指定された給紙トレイからの用紙を、他の給紙トレイから給紙された用紙とは別に扱うことが可能になる。
【０１００】
また、用紙挿入部２２０と用紙挿入部３２０のように、特定の給紙トレイが複数存在する場合、複数の特定の給紙トレイから給紙された滞留用紙についてもそれぞれ分別して排出することで、パージ処理された状態において、複数の特定の給紙トレイから給紙された用紙を、他の給紙トレイから給紙された用紙とは別に、かつ、それぞれ個別に扱うことが可能になる。
【０１０１】
また、以上の実施形態では、画像形成装置１００の給紙部１０５からの滞留用紙を１箇所にまとめて排出する具体例を示したが、特定の給紙トレイ以外の給紙トレイ（給紙部１５０内の給紙トレイ）が複数存在する場合に、特定の給紙トレイ以外の複数の給紙トレイから給紙された滞留用紙についてはまとめて排出することで、パージ処理された状態において、複数の特定の給紙トレイから給紙された用紙を、他の給紙トレイから給紙された用紙とは別に扱うと共に、他の給紙トレイから給紙された用紙は一括して扱うことが可能になる。
【０１０２】
また、特定の給紙トレイから給紙された滞留用紙について分別して排出するよう排出部を制御しても、特定の給紙トレイについての分別した排出に使用されない排紙トレイが複数存在する場合には、特定の給紙トレイ以外の給紙トレイ（給紙部１０５の各給紙トレイ）から給紙された滞留用紙について、各用紙についての画像形成の状況に応じて、分別して排出することで、パージ処理された状態において、複数の特定の給紙トレイから給紙された用紙を、他の給紙トレイから給紙された用紙とは別に扱うと共に、他の給紙トレイから給紙された用紙についても画像形成状況に応じて分別して扱うことが可能になる。
【０１０３】
また、滞留用紙を分別して排出する際に、どの排紙トレイにどの滞留用紙を排出したかの対応関係を、図１４のように操作表示部１０３に表示するよう制御することで、パージ処理において、複数の特定の給紙トレイから給紙された用紙を、他の給紙トレイから給紙された用紙とは別に扱うと共に、滞留用紙がどの排紙トレイに排出されるかが明確になる。
【０１０４】
また、この図１４のような分別排出の表示を、パージ処理終了後だけでなく、パージ処理中においても、分別排出予定、分別排出中、分別排出終了、のようにして表示することが可能であり、複数の特定の給紙トレイから給紙された用紙を、他の給紙トレイから給紙された用紙とは別に扱うと共に、滞留用紙がどの排紙トレイに排出されるかが明確になる。
【０１０５】
また、この図１４のような分別排出の表示を、予め設定されたパージ処理時トレイ対応情報に対応できなかった場合には、エラー表示のようにして表示することも望ましい。この場合、分別排出予定と分別排出結果とを対比して表示することも望ましい。
【０１０６】
〈その他の実施形態（１）〉
以上、本発明の実施形態を図面によって説明してきたが、具体的な構成や数値は実施形態に示したものに限られるものではなく、本発明の要旨を逸脱しない範囲における変更や追加があっても本発明に含まれる。
【０１０７】
以上の実施形態の説明では、画像形成装置１００内の制御部１０１が中心となってパージ処理時の制御を行っていたが、これに限定されるものではない。
【０１０８】
例えば、画像形成装置１００以外のいずれかの装置２００〜５００内の制御部２０１〜５０１が、以上のパージ処理時の制御を行うように、他の制御部に対して指示を与えて、上記と同様なパージ処理を実行するようにしてもよい。
【０１０９】
この場合、画像形成装置１００以外のパージ処理の制御を行う装置に操作表示部を備えている場合には、その操作表示部を使用しても良い。また、操作表示部を備えない場合には、画像形成装置１００に対して情報を送信し、画像形成装置１００の操作表示部１０３を使用して設定受け付けと結果表示とを実行すれば良い。
【０１１０】
また、操作表示部１０３として一体の物を示したが、操作部と表示部とは別に構成することも可能である。
【０１１１】
また、操作表示部や操作部について、画像形成装置１００だけでなく、いずれかの用紙処理装置側に設けることも可能である。
【０１１２】
〈その他の実施形態（２）〉
以上の実施形態の説明では、滞留用紙について、用紙情報から給紙トレイを識別し、識別された給紙トレイに対する排紙トレイの対応を、パージ処理時トレイ対応情報から割り出すようにしていたが、これに限定されるものではない。たとえば、各用紙の用紙情報にパージ処理時の排紙トレイの情報が含まれていてもよい。
【０１１３】
また、パージ処理時トレイ対応情報を操作者が設定しない場合には、制御部１０１が自動的にパージ処理時トレイ対応情報を定めるようにしてもよい。
【０１１４】
あるいは、パージ処理時トレイ対応情報を操作者が設定しない場合に、または、ジャム発生位置の関係でパージ処理時トレイ対応情報が実行不可能である場合に、ジャム発生時の時点で空いている排紙トレイの情報から、自動的にパージ処理時トレイ対応情報を定めるようにしてもよい。
【０１１５】
〈その他の実施形態（３）〉
以上の実施形態では、ジャムにより滞留用紙が発生した場合を想定していたが、これに限定されるものではない。例えば、画像形成システム内のいずれかの部位の故障（例えば、搬送ローラを駆動するモータやギヤの故障）や停電などによって、画像形成実行中に用紙の搬送が停止して滞留用紙が発生した場合にも適用することが可能である。
【符号の説明】
【０１１６】
１００  画像形成装置
１０１  制御部
１０２  通信部
１０４  記憶部
１０３  操作表示部
１０５  給紙部
１０７  搬送部
１３０  画像データ記憶部
１４０  画像処理部
１５０  画像形成部
２００  用紙挿入装置
２０１  制御部
２０２  通信部
２０４  記憶部
２０５  挿入経路選択部
２１０  搬送部
２１５  ジャム検知部
２２０  用紙挿入部
３００  用紙処理装置
３０１  制御部
３０２  通信部
３０４  記憶部
３０５  挿入経路選択部
３０６  排出経路選択部
３１０  搬送部
３１５  ジャム検知部
３２０  用紙挿入部
３３０  パンチ部
３４０  折り部
３９０Ｓ  サブトレイ排出部
４００  用紙処理装置
４０１  制御部
４０２  通信部
４０４  記憶部
４０６  排出経路選択部
４１０  搬送部
４１５  ジャム検知部
４４０  折り部
４５０  整合部
４８０  断裁部
４９０Ｓ  サブトレイ排出部
５００  用紙処理装置
５０１  制御部
５０２  通信部
５０４  記憶部
５０６  排出経路選択部
５１０  搬送部
５１５  ジャム検知部
５５０  整合部
５６０  平綴じ部
５９０Ｍ  メイントレイ排出部
５９０Ｓ  サブトレイ排出部
【図１】
2014117912.tif 000003
【図２】
2014117912.tif 000004
【図３】
2014117912.tif 000005
【図４】
2014117912.tif 000006
【図５】
2014117912.tif 000007
【図６】
2014117912.tif 000008
【図７】
2014117912.tif 000009
【図８】
2014117912.tif 000010
【図９】
2014117912.tif 000011
【図１０】
2014117912.tif 000012
【図１１】
2014117912.tif 000013
【図１２】
2014117912.tif 000014
【図１３】
2014117912.tif 000015
【図１４】
2014117912.tif 000016